(57)【要約】【課題】器具本体からの脱着が容易にできる光源ユニットを提供する。【解決手段】カバー部２３０は、拡散部２３１と、カバー側壁部２３２の対と、傾斜保持部２３３の対とを備える。傾斜保持部２３３の対は、拡散部２３１の長手方向に沿う各カバー側壁部２３２の立ち上がりの先端部２３２ｂからそれぞれ引き続き形成される傾斜保持部２３３の対であり、カバー側壁部２３２に向かって傾斜して形成され、拡散部２３１の長手方向に沿う端部である支持円弧部２３３ｂで保持部２２０に保持される。【選択図】図１０
2019179775.tif 000002
【特許請求の範囲】
【請求項１】
器具本体に対して取り付けられる光源ユニットであって、
光源と、
前記光源が取り付けられる取付部、及び、取付部と交わる方向に沿って立設した側面部を有する保持部と、
前記光源から照射される光を拡散する拡散部、前記取付部に当接する支持部、及び、前記側面部に当接する傾斜保持部を有し、前記拡散部によって前記光源を覆うように前記保持部に取り付けられたカバー部と、
を備え、
前記器具本体に取り付けられた状態において、前記傾斜保持部は、前記器具本体と干渉する際には前記光源の側に向かって変形する光源ユニット。
【請求項２】
前記傾斜保持部は、
前記拡散部を間にして対をなすように一対として形成されており、
それぞれの前記傾斜保持部は、
それぞれの前記傾斜保持部の内側に形成された変形許容空間に向かって変形する請求項１に記載の光源ユニット。
【請求項３】
一対の前記傾斜保持部は、
対向して形成され、かつ、相手の傾斜保持部に向かって傾斜するように形成されている請求項２に記載の光源ユニット。
【請求項４】
前記カバー部は、
長手形状であるとともに、長手方向を法線方向とする断面の形状が線対称の形状をなし、
一対の前記傾斜保持部は、
前記拡散部の前記形状における線対称の対称軸に近付くように傾斜する請求項２または請求項３に記載の光源ユニット。
【請求項５】
請求項１から請求項４の何れか一項に記載の光源ユニットと、
前記光源ユニットが着脱自在に取り付けられる器具本体と
を備えた照明器具。
【発明の詳細な説明】
【技術分野】
【０００１】
この発明は、照明器具に関する。
【背景技術】
【０００２】
従来より、ＬＥＤモジュールおよび直流電源装置を内蔵する長尺状の光源部と、この光源部の一部が挿入される凹部を有する器具本体部とを備える照明器具であって、光源部が器具本体部に着脱自在に取り付けられる照明器具がある（例えば、特許文献１、２、３）。
【先行技術文献】
【特許文献】
【０００３】
【特許文献１】特開２０１４−０７８５１１号公報
【特許文献２】特開２０１１−１４２０６３号公報
【特許文献３】特開２０１２−００３９９３号公報
【発明の概要】
【発明が解決しようとする課題】
【０００４】
しかしながら、特許文献１に記載の照明器具の光源部は照射側にカバー部を備えている。カバー部は、光源部が器具本体部に照射側と反対側の一部を凹部に挿入し取り付けられた時に、凹部の開口端縁と隙間がないように重なる延出部を有している。その為、光源部を器具本体部から取り外す時は、作業者が光源部を掴む（指を引っ掛ける）箇所がなく作業がし難かった。
【０００５】
また特許文献２あるいは特許文献３に記載されている照明器具は、光源部の長手側辺と凹部の長手側壁部との間に隙間が形成されるように光源部が器具本体部に取り付けられている。光源部は、この隙間に専用の治具を挿し込むことで器具本体部から取り外すことができるが、専用の治具を必要とする為、作業に手間がかかった。また、光源部と凹部の間に形成された隙間が、光源部を発光させた際に暗がりになり、意匠性の点で課題があった。
【０００６】
本発明は、器具本体と光源の脱着が容易にできるとともに、器具本体に光源を取り付けたときに意匠性を向上させる照明器具の提供を目的とする。
【課題を解決するための手段】
【０００７】
この発明の光源ユニットは、
器具本体に対して取り付けられる光源ユニットであって、
光源と、
前記光源が取り付けられる取付部、及び、取付部と交わる方向に沿って立設した側面部を有する保持部と、
前記光源から照射される光を拡散する拡散部、前記取付部に当接する支持部、及び、前記側面部に当接する傾斜保持部を有し、前記拡散部によって前記光源を覆うように前記保持部に取り付けられたカバー部と、
を備え、
前記器具本体に取り付けられた状態において、前記傾斜保持部は、前記器具本体と干渉する際には前記光源の側に向かって変形する。
【発明の効果】
【０００８】
本発明によれば、光源ユニットのカバー部は、傾斜保持部を有しているので、意匠性を向上させ、器具本体と光源ユニットが容易に脱着できる照明器具を提供できる。
【図面の簡単な説明】
【０００９】
【図１】実施の形態１の図で、照明器具３００の斜視図。
【図２】実施の形態１の図で、照明器具３００を器具本体１００と光源ユニット２００とに分解した分解斜視。
【図３】実施の形態１の図で、電源装置２６０側を示す光源ユニット２００の斜視図。
【図４】実施の形態１の図で、器具本体１００の分解斜視図。
【図５】実施の形態１の図で、器具本体１００の斜視図。
【図６】実施の形態１の図で、光源ユニット２００の分解斜視図。
【図７】実施の形態１の図で、光源ユニット２００の図３に示す断面Ａ−ＡにおけるＡ−Ａ断面図。
【図８】実施の形態１の図で、図７をカバー部２３０と、保持部２２０及び発光素子基板２１０とに分けた分解断面図。
【図９】実施の形態１の図で、照明器具３００の図１の断面Ａ−Ａにおける分解断面図。
【図１０】実施の形態１の図で、Ａ−Ａ断面図。
【図１１】実施の形態１の図で、器具本体１００の組み立て方法を示す図。
【図１２】実施の形態１の図で、連結金具２５０の斜視図。
【図１３】実施の形態１の図で、バネ部１３０の斜視図。
【図１４】実施の形態１の図で、カバー部２３０の変形例を示す図。
【図１５】実施の形態１の図で、カバー部２３０の変形例を示す図。
【図１６】実施の形態１の図で、カバー部２３０の変形例を示す図。
【図１７】実施の形態１の図で、器具本体１００の変形例を示す図。
【発明を実施するための形態】
【００１０】
実施の形態１．
図１は照明器具３００の斜視図である。図２は照明器具３００を器具本体１００と光源ユニット２００とに分解した分解斜視図である。図３は電源装置２６０側を示す光源ユニット２００の斜視図である。図４は本体部１１０の分解斜視図である。図５は器具本体１００の斜視図である。図６は光源ユニット２００の分解斜視図である。図７は光源ユニット２００の図３に示す断面Ａ−ＡにおけるＡ−Ａ断面図である。図８は図６の（ａ）をカバー部２３０と、保持部２２０及び発光素子基板２１０とに分けた分解断面図である。図９は照明器具３００の図１の断面Ａ−Ａにおける分解断面図である。図１の断面Ａ−Ａは図３の断面Ａ−Ａに相当する。図１０は、照明器具３００の図１の断面Ａ−Ａにおける断面図である。
【００１１】
＜＊＊＊構成の説明＊＊＊＞
はじめに、図１〜図１０を参照して照明器具３００の各部の構成を説明する。照明器具３００は、長尺状の器具本体１００と、器具本体１００に着脱可能に取り付けられる長尺状の光源ユニット２００とを備える。光源ユニット２００は、器具本体１００の後述する凹部１１１に一部を挿入しながら、着脱可能に取り付けられる。器具本体１００、光源ユニット２００はいずれも長尺状であるが、その長手方向を長手方向Ｘとし、長手方向Ｘに対する短手方向を短手方向Ｙ（図１）とする。
【００１２】
図６に示すように、光源ユニット２００は、発光素子基板２１０、保持部２２０、カバー部２３０、光源蓋部２４０を備える。
（１）発光素子基板２１０は発光素子２１２を有する。発光素子基板２１０は、長尺に形成された基板２１１に複数の発光素子２１２が実装される。この実施の形態では発光素子２１２はＬＥＤである。
（２）保持部２２０は、発光素子基板２１０が取り付けられる。図９に示すように、保持部２２０は、平板状をなす取付部２２１であって平板部１１２に対向する面２２１ｂの裏面２２１ａに発光素子基板２１０が取り付けられる取付部２２１を有する。
（３）カバー部２３０は発光素子基板２１０を覆うように保持部２２０に取り付けられる。カバー部２３０は保持部２２０に取り付けられて保持部２２０に保持される。カバー部２３０は、拡散部２３１と、対になるように設けられたカバー側壁部２３２とを有する。拡散部２３１は、平板部１１２の長手方向Ｘに沿う長尺状をなし発光素子基板２１０を覆う。対となるカバー側壁部２３２は、拡散部２３１の長手方向Ｘに沿う一方の端部２３１ａと他方の端部２３１ｂとから間に保持部２２０を挟んでそれぞれ平板部１１２の方向に立ち上がる側壁部であり、対となるカバー側壁部２３２である。カバー側壁部２３２の対は、各カバー側壁部２３２の一部につかみ部２３２ａが形成されている。平板部１１２の方向は、保持部２２０の一方の面２２１ａから一方の面２２１ａの反対側の他方の面２２１ｂに向かう方向である。
（４）光源蓋部２４０は光源ユニット２００の長手方向両端を塞ぐ。
（５）また、光源ユニット２００は、本体側連結部１３００の相手部品として保持部２２０に配置され、本体側連結部１３００と連結し、連結によって生じる弾性力によって光源ユニット２００の一部を凹部１１１に収納する光源側連結部２５００を備える。この実施の形態では光源側連結部２５００は連結金具２５０である。図１１で後述するように、光源ユニット２００は、つかみ部２３２ａをつかまれて引っ張られた場合、光源側連結部２５００が本体側連結部１３００との弾性力による連結状態を維持した状態で、凹部１１１に収納された一部が凹部１１１から引き出される。図３に示すように、光源ユニット２００は器具本体１００に設けられたバネ部１３０が引っ掛けられる連結金具２５０と、保持部２２０に取り付けられ発光素子基板２１０に電力を供給する電源装置２６０とを備える。
【００１３】
発光素子基板２１０は、長尺に形成された基板２１１と、基板２１１に直線状に実装される複数の発光素子２１２とれる複数の発光素子２１２を備えている。なお、発光素子２１２を直線状に実装する列は一列でも良く、複数列でも良い。
【００１４】
保持部２２０は、発光素子基板２１０が取り付けられる略矩形状をした取付部２２１と、取付部２２１の長手両側辺より発光素子基板２１０が取り付けられる面２２１ａから裏面２２１ｂの方向に立設した第一の側面部２２２−１、第二の側面部２２２−２とを有している。
【００１５】
カバー部２３０は、図７に示すよう中心軸１１を対称軸として略対象に形成されている。よって、片側に関して説明するが、説明する構成は中心軸１１に線対称として対になるよう形成されている。カバー部２３０は、拡散部２３１、カバー側壁部２３２、第一の支持部である傾斜保持部２３３、第二の支持部である支持部２３４を備える。
（１）拡散部２３１は、円弧形状であり発光素子基板２１０から照射される光を拡散する。
（２）カバー側壁部２３２は、拡散部２３１の両端から対になるよう配設され、カバー部２３０の側面に位置する。
（３）傾斜保持部２３３は、保持部２２０の第一の側面部２２２−１、第二の側面部２２２−２の先端と当接する第一の支持部である。
（４）支持部２３４は、取付部２２１に当接する第二の支持部である。
【００１６】
拡散部２３１は、発光素子基板２１０が照射する光を透過させ拡散させるものであり、発光素子基板２１０を覆うように円弧形状をしている。図８に示すように、拡散部２３１は、カバー側壁部２３２の先端部２３２ｂである端部Ａの反対側となる端部Ｂ側に位置しており、対になるカバー側壁部２３２の端部Ｂ、端部Ｂを繋ぐように配設されている。言い換えれば、カバー側壁部２３２は端部Ａと端部Ｂとの間に形成されている。
【００１７】
カバー側壁部２３２は拡散部２３１の両端（端部Ｂ）から対になるよう配設され、器具本体１００の凹部１１１の第一の側壁部１１３−１、第二の側壁部１１３−２と略平行に形成されている。また、対になるカバー側壁部２３２の外側の面の距離である寸法Ｌ１（図９）は、凹部１１１の開口部１１１ａ（図２の矩形ａｂｃｄ）の巾である寸法Ｌ２（対向する第一の側壁部１１３−１と、第二の側壁部１１３−２との短手方向の距離）に対して、器具本体１００の凹部１１１に挿入可能に略同等の寸法に形成される。なお、挿入可能に略同等の寸法とは、光源ユニット２００が凹部１１１との間に形成される隙間をなるべく抑え、挿入できる寸法である。例えば寸法Ｌ１が５９ｍｍに対して寸法Ｌ２が６０ｍｍなどである。つまり、照明器具３００は、器具本体１００に光源ユニット２００が取り付けられた状態において、凹部１１１の短手方向Ｙ（図９）における第一の側壁部１１３−１の内側面１１３−１ａと第二の側壁部１１３−２の内側面１１３−２ａとの距離である凹部内側巾寸法Ｌ２から、カバー部２３０の短手方向Ｙにおける一方の先端部２３２ｂの外側面２３２ｃと他方の先端部２３２ｂの外側面２３２ｃとの距離である先端部外側巾寸法Ｌ１を引いた寸法が、０ｍｍ以上３ｍｍ以下である。つまり、照明器具３００は、器具本体１００に光源ユニット２００が取り付けられた状態において、図９のＡ−Ａ断面において、左右の各隙間を同じとすれば、各隙間は０ｍｍ以上１．５ｍｍ以下の範囲である。
【００１８】
また、カバー側壁部２３２は、光源ユニット２００が器具本体１００の凹部１１１に一部が収納された際に、凹部１１１の開口部１１１ａから外側に位置するつかみ部２３２ａを有している。図１０に示すように、光源ユニット２００は、器具本体１００への取付完了時に一部が凹部１１１に収納された状態において、カバー部２３０の各つかみ部２３２ａが、平板部１１２に対向する凹部１１１の開口部１１１ａから凹部１１１の外部へ露出すると共に、各カバー側壁部２３２の先端部２３２ｂが、凹部１１１に収納される。凹部１１１に収納される各カバー側壁部２３２の先端部２３２ｂは、各カバー側壁部２３２と拡散部２３１とともに開口部１１１ａを塞ぐ。また、光源ユニット２００は、器具本体１００への取付完了時に一部が凹部１１１に収納された状態において、各カバー側壁部２３２の先端部２３２ｂと各傾斜保持部２３３とが凹部１１１に収納され、凹部１１１に収納される各先端部２３２ｂは、各カバー側壁部２３２と拡散部２３１とともに、平板部１１２に対向する凹部１１１の開口部１１１ａを塞ぐ。図１０に示すように、各つかみ部２３２ａは、少なくとも一部が、発光素子２１２よりも第一の側壁部１１３−１が立ち上がる方向Ｚに位置する。これによって発光素子２１２の発した光を各つかみ部２３２ａで拡散できるので、照明効果を向上できる。光源ユニット２００は、各つかみ部２３２ａをつかまれて第一の側壁部１１３−１が立ち上がる方向Ｚ（図１０）に引っ張られた場合、凹部１１１に収納された一部が凹部１１１から引き出される（図１１）。対になるつかみ部２３２ａの外側の面の距離である寸法Ｌ３（図１０）は、つかみ部２３２ａが凹部１１１に挿入されないので、寸法Ｌ２と同じ寸法でも良い。
【００１９】
図１０に示すように、つかみ部２３２ａと、開口縁部１１１ｂと、拡散部２３１の両端（端部Ｂ、端部Ｂ）を結ぶ仮想線との３つの要素によって、操作空間５００（図１０の端部Ｂ周辺の拡大図に示す破線の範囲）が形成されている。操作空間５００によって、着脱時に容易に光源ユニット２００を掴みやすいようにしている。
【００２０】
カバー部２３０は、傾斜保持部２３３を有する。図８に示すように、傾斜保持部２３３は、拡散部２３１の長手方向Ｘに沿う各カバー側壁部の立ち上がりの先端部２３２ｂから対になるようにそれぞれ引き続き形成される傾斜保持部２３３である。傾斜保持部２３３は、取付部２２１の他方の面２２１ｂ（図９）に向かうように相手のカバー側壁部２３２に向かって傾斜して形成され、拡散部２３１の長手方向Ｘに沿う端部である長手方向端部２３３０ｂで保持部２２０を保持する。この実施の形態では長手方向端部２３３０ｂは支持円弧部２３３ｂである。傾斜保持部２３３は、支持傾斜部２３３ａ、支持円弧部２３３ｂを有する。（１）支持傾斜部２３３ａは、カバー側壁部２３２に対して拡散部２３１の反対側に位置する端部Ａより内側（中心軸１１方向）に傾斜する。
（２）支持円弧部２３３ｂは、保持部２２０の第一の側面部２２２−１、第二の側面部２２２−２の先端を覆うような円弧形状をなす。
（３）なお、端部Ａは円弧形状に形成されており、凹部１１１へ挿入しやすいように円弧の半径寸法を大きくしても良い。つまり、図８に示すように、各傾斜保持部２３３は、各カバー側壁部２３２の先端部２３２ｂを含む円弧形状の円弧形状部２３２ｄを介して形成される。
【００２１】
支持部２３４は、支持水平部２３４ａ、支持突部２３４ｂを備えている。
（１）支持水平部２３４ａは、カバー側壁部２３２より略水平に内側（中心軸１１の方向）に形成され取付部２２１の発光素子基板２１０に当接する。
（２）支持突部２３４ｂは、支持水平部２３４ａの側辺より傾斜保持部２３３側に突設し取付部２２１の面２２１ａと当接する。
【００２２】
傾斜保持部２３３の支持円弧部２３３ｂと支持部２３４の支持突部２３４ｂとが、保持部２２０の第一の側面部２２２−１の先端および取付部２２１を挟持することで、カバー部２３０は保持部２２０に固定される。
【００２３】
図７に示すように、保持部２２０の第一の側面部２２２−１、カバー側壁部２３２、傾斜保持部２３３、支持部２３４に囲まれた変形許容空間２３５が形成されている。光源ユニット２００では、カバー側壁部２３２は開口部１１１ａに対して挿入可能な略同等の寸法である。しかし、器具本体１００及び光源ユニット２００は長尺に形成されているため、部分的に光源ユニット２００が大きい、もしくは開口部１１１ａが小さくなるなどの誤差が発生し、挿入するときに干渉することも考えられる。そこで、光源ユニット２００では、カバー部２３０が凹部１１１に干渉したときに内側に弾性変形できるように、変形許容空間２３５を設けている。
【００２４】
図１２は連結金具２５０を示す。連結金具２５０は、略Ｌ形状をしている。連結金具２５０は、金具固定部２５１、バネ連結部２５２を備える。
（１）金具固定部２５１は、取付部２２１の面２２１ｂに形成された金具受け部２２０ｃにネジ２２０ｄで固定される。
（２）バネ連結部２５２は、バネ部１３０が引っ掛けられる連結開口部２５２ａが形成されている。バネ連結部２５２の先端は、光源ユニット２００を器具本体１００に取り付けたときに、凹部１１１の底となる平板部１１２に当接するように形成されている。この当接箇所がバネ部１３０の弾性力に対抗し、光源ユニット２００が器具本体１００に装着される。
【００２５】
図４に示すように、器具本体１００は、凹部１１１、傾斜部１１４−１、１１４−２、蓋部１２０−１，１２０−２を備える。
（１）凹部１１１は長手方向Ｘに沿って略中央部に形成される。
（２）斜部１１４−１、１１４−２は、凹部１１１の開口部１１１ａの長手側辺それぞれから被取付部方向へ互いに離れ，広がるように傾斜する。
（３）蓋部１２０−１，１２０−２は、長手方向の両端に配設され、長手方向Ｘの端部において、凹部１１１および傾斜部１１４−１、１１４−２を覆う。
（４）器具本体１００は、バネ部１３０、端子台１４０を備える。器具本体１００は、平板部１１２に配置され、光源ユニット２００に配置された相手部品（連結金具２５０）と連結する本体側連結部１３００を備える。この実施の形態では本体側連結部１３００はバネ部１３０である。
【００２６】
器具本体１００は、凹部１１１を備える。図４に示すように、凹部１１１は、長尺状の平板部１１２と、平板部１１２の長手方向Ｘに沿う一方の平板端部１１２ａと他方の平板端部１１２ｂとからそれぞれ立ち上がる第一の側壁部１１３−１及び第二の側壁部１１３−２とを有する凹形状をなし光源ユニット２００の一部を収納する。平板部１１２は天井などの被取付部に当接する。開口部１１１ａの周部には開口縁部１１１ｂが配設されている。平板部１１２には、バネ部１３０と端子台１４０が配設されている。また平板部１１２には、商用電源からの電力供給を受ける為の電源線を引き込む電源引込孔１１２ｃと、ボルトなどの取付材により被取付部へ固定する為の固定孔１１２ｄが形成されている。
【００２７】
図１３はバネ部１３０の斜視図である。バネ部１３０は、凹部１１１の平板部１１２に取り付けられる。バネ部１３０は、平板部１１２に固定されるバネ固定部１３１と、円弧形状をしたバネ円弧部１３２と、バネ円弧部１３２の先端に設けられ連結金具開口部１５１に引っ掛けられるバネ先端部１３３とを有する。
【００２８】
端子台１４０は、電源引込孔１１２ｃから引きこまれた電源線と接続し、商用電源から供給される電力を電源装置２６０に供給する。
【００２９】
図１１を参照して光源ユニット２００の装着作業の概要を説明する。図１１において、（ａ）は、器具本体１００に光源ユニット２００が取り付けられる前の状態を示す。
（ｂ）は、作業者が光源ユニット２００の連結金具２５０の連結開口部２５２ａにバネ部１３０のバネ先端部１３３引っ掛け、バネ円弧部１３２を弾性変形させた連結状態を示す。
（ｃ）は、バネ円弧部１３２が連結金具２５０の連結開口部２５２ａに対して摺動する状態を示す。
（ｄ）は、器具本体１００に光源ユニット２００が取り付けられた状態を示す。
【００３０】
（１）図１１の（ａ）では、光源ユニット２００は器具本体１００に取り付けられていない状態である。
（２）図８の（ｂ）では、作業者がバネ部１３０のバネ先端部１３３を、連結金具２５０の連結開口部１５２ａに引っ掛けて、光源ユニット２００を器具本体１００に吊り下げた状態を示す。図５のように、照明器具３００では２個のバネ部１３０が、器具本体１００の長手方向Ｘの両端に配置されている。作業者は反対側のバネ部１３０も同様に操作することで、光源ユニット２００は器具本体１００に対して略平行な状態で保持できる。
（３）図１１の（ｃ）では、作業者が光源ユニット２００のつかみ部２３２ａを持ち、上方（上面側）に押し上げると、バネ部１３０のバネ円弧部１３２の裏面が、連結金具２５０の連結開口部２５２ａに対して、バネの復元力により摺動する。
（４）図１１の（ｄ）では、作業者が、器具本体１００に光源ユニット２００を差し込むことで、光源ユニット２００の器具本体１００への装着が完了する。なお上記のように、連結金具２５０が凹部１１１の平板部１１２に当たることでバネ部１３０の弾性力に対抗し、光源ユニット２００が器具本体１００に装着される。
（５）なお、装着完了時では、傾斜保持部２３３および先端部２３２ｂを含むカバー側壁部２３２の一部が、器具本体１００の凹部１１１に挿入され、カバー側壁部２３２のつかみ部２３２ａは、凹部１１１の開口縁部１１１ｂよりも外側に位置する。
【００３１】
光源ユニット２００の器具本体１００からの取り外し方は、装着時と逆の手順により取り外すことができる。
（１）図１１の（ｄ）の状態から、作業者は、光源ユニット２００のつかみ部２３２ａを保持（挟持）し、図１１の（ｂ）の状態まで引き下げる。
（２）図１１の（ｂ）の状態において、連作業者は連結金具２５０の連結開口部２５２ａにバネ部１３０のバネ先端部１３３が係止している状態を解除し、光源ユニット２００を器具本体１００から取り外す。
【００３２】
＜＊＊＊効果の説明＊＊＊＞
本実施の形態では、カバー部２３０は、対になるカバー側壁部２３２の距離が、開口部１１１ａの第一の側壁部１１３−１と第二の側壁部１１３−２との距離に対して、器具本体１００の凹部１１１に挿入ができるように略同等の寸法に形成されている。この構成により、光源ユニット２００と器具本体１００との間に隙間による暗がりを防ぎ意匠性を向上できる。
【００３３】
本実施の形態では、カバー部２３０は、光源ユニット２００が器具本体１００に取り付けられた場合に、カバー側壁部２３２に形成されたつかみ部２３２ａが、開口部１１１ａの外側に露出する。よって、つかみ部２３２ａをつかめるので、光源ユニット２００を器具本体１００から容易に取り外すことができ、また、光源ユニット２００を器具本体１００に容易に装着することができる。
【００３４】
本実施の形態では、照明器具３００は操作空間５００を有していることにより、光源ユニット２００の着脱作業時に、光源ユニット２００と凹部１１１との間、もしくは光源ユニット２００と開口縁部１１１ｂとの間に指などを挟むことを防止できるので、作業の安全性を向上できる。
【００３５】
本実施の形態では、対になる傾斜保持部２３３が内側斜めに形成されている。よって、カバー側壁部２３２を凹部１１１へ挿入する場合に、対になる傾斜保持部２３３のうちどちらか一方の傾斜保持部２３３及びその一方の傾斜保持部２３３の端部Ａ（先端部２３２ｂ）が、開口縁部１１１ｂに対して摺動して光源ユニット２００の装着のガイド機能を果たし、光源ユニット２００を器具本体１００に装着することが容易になる。
【００３６】
図１４〜図１６を参照して、本実施の形態の変形例である。光源ユニット２００Ａ、２００Ａ−１、２００Ｂ、２００Ｂ−１、２００Ｃ、２００Ｃ−１を説明する。光源ユニット２００Ａ等は、光源ユニット２００に対してカバー部のつかみ部の形状が異なる。
【００３７】
図１４の（ａ）及び（ｂ）は、光源ユニット２００Ａ、カバー部２３０Ａ及び光源ユニット２００Ａ−１、カバー部２３０Ａ−１を示す。本実施の形態の変形例として、図１４の（ａ）に示すようなカバー部２３０Ａを備えた光源ユニット２００Ａでも良い。カバー部２３０Ａはカバー側壁部１２３２のつかみ部１２３２ａに、内側に凹んだつかみ凹部１２３２ｂが形成されている。つまり各つかみ部１２３２ａは、他方のつかみ部１２３２ａの方向に凹む形状のつかみ凹部１２３２ｂを有する。光源ユニット２００Ａは、つかみ部１２３２ａがつかみ凹部１２３２ｂを有していることにより、着脱するときの操作性が向上する。なお、図１４の（ａ）ではつかみ凹部１２３２ｂを傾斜保持部２３３側に設けている。これに限らず、図１４の（ｂ）に示すように、カバー側壁部１２３２−１におけるつかみ凹部１２３２ｂ−１を、拡散部２３１側に設けても、カバー部２３０Ａと同じ効果を得ることができる。なお、つかみ凹部は、光源ユニットの配光特性、意匠形状により、つかみ部の範囲内であれば、どこに設けても良く、つかみ部全体をつかみ凹部にしても良い。
【００３８】
図１５の（ａ）及び（ｂ）は、光源ユニット２００Ｂ、カバー部２３０Ｂ及び光源ユニット２００Ｂ−１、カバー部２３０Ｂ−１を示す。本実施の形態の変形例として図１５の
（ａ）に示すような、カバー部２３０Ｂを備えた光源ユニット２００Ｂでも良い。カバー部２３０Ｂは、つかみ部２２３２ａの拡散部２３１側につかみ凸部２２３２ｂを配設している。つまり各つかみ部２２３２ａは、他方のつかみ部２２３２ａの方向と反対方向に突き出る凸形状のつかみ凸部２２３２ｂを有する。光源ユニット２００Ｂは、つかみ部２２３２ａの拡散部２３１側につかみ凸部２２３２ｂを有していることにより、着脱するときの操作性を向上できる。また、拡散部２３１は、つかみ凸部２２３２ｂの外側端部に接続するよう形成されており、巾寸法（寸法Ｄ）を大きく形成できる。よって、下側から光源ユニット２００Ｂを見たときに、拡散部２３１が、カバー側壁部２２３２の目隠しとなり、意匠性を向上できる。なお、図１５の（ｂ）のように、操作性、意匠形状により、つかみ部２２３２ａの寸法を変更して、カバー側壁部２２３２−１に、つかみ凸部２２３２ｂ−１を有するつかみ部２２３２ａ−１を形成することとしても同じ効果を得ることができる。
【００３９】
図１６の（ａ）及び（ｂ）は、光源ユニット２００Ｃ、カバー部２３０Ｃ及び光源ユニット２００Ｃ−１、カバー部２３０Ｃ−１を示す。図１６の（ａ）に示すように、つかみ部を斜めに形成した傾斜操作部である傾斜立上部３２３２ｂが配設されたカバー部２３０Ｃを備えた光源ユニット２００Ｃでも良い。また、図１６（ｂ）に示すように、つかみ部を斜めに形成した傾斜操作部である傾斜立上部３２３２ｂ−１が配設されたカバー部２３０Ｃ−１を備えた光源ユニット２００Ｃ−１でも良い。カバー部２３０Ｃでは傾斜立上部３２３２ｂが開口縁部１１１ｂと離れており当接していないが、カバー部２３０Ｃ−１では傾斜立上部３２３２ｂ−１が開口縁部１１１ｂに当接している。傾斜立上部３２３２ｂ、３２３２ｇ−１を設けることで、より意匠性を向上できる。このように、各カバー側壁部３２３２は、他方のカバー側壁部３２３２の方向に傾斜して立ち上がる傾斜立上部３２３２ｂ、３２３２ｂ−１を備える。そして、各つかみ部３２３２ａ、３２３２ａ−１は、各傾斜立上部３２３２ｂ，３２３２ｂ−１の一部である。
【００４０】
図１７の（ａ）及び（ｂ）は、器具本体１００とは異なるタイプの器具本体１００Ａ、器具本体１００Ｂを用いた照明器具を示す。本実施の形態では、器具本体１００は逆富士型形状に関して説明をおこなったが、図１７の（ａ）に示すように埋込型の器具本体１００Ａでもよいし、図１７の（ｂ）に示すようにトラフ型の器具本体１００Ｂでも良い。
【００４１】
なお、本実施の形態では、水平に形成された第二の支持部である支持部２３４に関して説明をおこなったが、支持部２３４は斜めに形成しても良いし、また支持部２３４に反射機能を持たせて光源ユニットの発光効率をあげても良い。
【００４２】
なお、本実施の形態では、一方のカバー側壁部２３２と、保持部２２０の第一の側面部２２２−１との間には何も設けていない。しかし、一方のカバー側壁部２３２もしくは第一の側面部２２２−１のどちらかに凸部を設け、カバー部２３０のズレ防止をしても良い。このズレ防止は、他方のカバー側壁部２３２と、第二の側面部２２２−２についても同じである。
【符号の説明】
【００４３】
Ｘ  長手方向、Ｙ  短手方向、１１  中心軸、１２  仮想線、１００  器具本体、１１１  凹部、１１１ａ  開口部、１１１ｂ  開口縁部、１１２  平板部、１１２ａ  一方の平板端部、１１２ｂ  他方の平板端部、１１２ｃ  電源引込孔、１１２ｄ  固定孔、１１３−１  第一の側壁部、１１３−２  第二の側壁部、１１３−１ａ  内側面、１１３−２ａ  内側面、１１４−１，１１４−２  傾斜部、１２０−１，１２０−２  蓋部、１３０  バネ部、１３００  本体側連結部、１３１  バネ固定部、１３２  バネ円弧部、１３３  バネ先端部、１４０  端子台、２００  光源ユニット、２１０  発光素子基板、２１１  基板、２１２  発光素子、２２０  保持部、２２０ｃ  金具受け部、２２０ｄ  ネジ、２２１  取付部、２２１ａ  面、２２１ｂ  面、２２２−１  第一の側面部、２２２−２  第二の側面部、２３０  カバー部、２３１  拡散部、２３１ａ  一方の端部、２３１ｂ  他方の端部、２３２  カバー側壁部、２３２ａ  つかみ部、２３２ｂ  先端部、２３２ｃ  外側面、２３２ｄ  円弧形状部、２３３  傾斜保持部、２３３ａ  支持傾斜部、２３３ｂ  支持円弧部、２３３０ｂ  長手方向端部、２３４  支持部、２３４ａ  支持水平部、２３４ｂ  支持突部、２３５  変形許容空間、２４０  光源蓋部、２５０  連結金具、２５１  金具固定部、２５２  バネ連結部、２５２ａ  連結開口部、２６０  電源装置、３００  照明器具、５００  操作空間、１２３２  カバー側壁部、１２３２ａ  つかみ部、１２３２ｂ  つかみ凹部、２２３２  カバー側壁部、２２３２ａ  つかみ部、２２３２ｂ  つかみ凸部、２５００  光源側連結部、３２３２  カバー側壁部、３２３２ｂ  傾斜立上部。
【図１】
2019179775.tif 000003
【図２】
2019179775.tif 000004
【図３】
2019179775.tif 000005
【図４】
2019179775.tif 000006
【図５】
2019179775.tif 000007
【図６】
2019179775.tif 000008
【図７】
2019179775.tif 000009
【図８】
2019179775.tif 000010
【図９】
2019179775.tif 000011
【図１０】
2019179775.tif 000012
【図１１】
2019179775.tif 000013
【図１２】
2019179775.tif 000014
【図１３】
2019179775.tif 000015
【図１４】
2019179775.tif 000016
【図１５】
2019179775.tif 000017
【図１６】
2019179775.tif 000018
【図１７】
2019179775.tif 000019